(57)【要約】【課題】使用者への積算電力量の報知に要する消費電力が低減でき、より安価な装置の構成で、使用者に装置の節電を意識させることが可能な人体局部洗浄装置を提供する。【解決手段】人体局部を洗浄する洗浄水を加温する温水ヒータ３０と、便座を加温する便座ヒータ２９と、温水ヒータと便座ヒータの積算電力量を測定する測定手段２２と、消費電力の目標値を設定する設定スイッチ２５ａ，２５ｂなどによる設定手段と、積算電力量が目標値に達した場合に報知する報知手段２３を備える人体局部洗浄装置。【選択図】  図３
2004360282.tif 000002
【特許請求の範囲】
【請求項１】
人体局部を洗浄する洗浄水を加温する温水ヒータと、便座を加温する便座ヒータと、上記温水ヒータと便座ヒータの積算電力量を測定する測定手段と、消費電力の目標値を設定する設定手段と、積算電力量が上記目標値に達した場合に報知する報知手段を備える人体局部洗浄装置。
【請求項２】
報知手段は、使用者が便座に着座したタイミングで作動する請求項１に記載の人体局部洗浄装置。
【請求項３】
報知手段が、便座スイッチの作動中のみ報知する請求項２に記載の人体局部洗浄装置。
【請求項４】
積算電力量が目標値に達した場合に、使用者に報知するとともに温水ヒータへの通電を停止する停止手段を有する請求項１〜３のいずれかに記載の人体局部洗浄装置。
【発明の詳細な説明】
【０００１】
【発明の属する技術分野】
本発明は、装置の消費電力が低減できる人体局部洗浄装置に関する。
【０００２】
【従来の技術】
装置により消費された電力量を積算したうえ、その積算電力量もしくは積算電力量に対応した料金を表示する表示手段を設けるようにした人体局部洗浄装置が提案されている（特許文献１参照）。
【０００３】
さらに上記の人体局部洗浄装置には、表示に加えて音声により積算電力量もしくは電気料金を報知する手段も示されている。
【０００４】
しかし、一般的に人体局部洗浄装置が設けられるトイレ内は暗く、表示器に表示するものでは積算電力量もしくはこれに対応した料金の表示数字を使用者が確認しにくく、さりとて、見やすいように表示部の輝度をアップさせた場合には、表示に要する消費電力が増えて使用者が負担する電気料金も増えるという問題がある。
また、音声により報知する手段を使用した場合には、使用の都度報知されるので、使用者がリラックスした状態で装置を使用できない問題とともに、音声報知用の部品コストが発生し装置の製造コストアップに繋がるという問題を有していた。
【０００５】
【特許文献１】
特開２０００−８７４１６公報（第１、４頁、図２）
【０００６】
【発明が解決しようとする課題】
本発明は、使用者への積算電力量の報知に要する消費電力が低減でき、より安価な装置の構成で、使用者に装置の節電を意識させることが可能な人体局部洗浄装置を提供するものである。
【０００７】
【課題を解決するための手段】
本発明は、次のものに関する。
（１）人体局部を洗浄する洗浄水を加温する温水ヒータと、便座を加温する便座ヒータと、上記温水ヒータと便座ヒータの積算電力量を測定する測定手段と、消費電力の目標値を設定する設定手段と、積算電力量が上記目標値に達した場合に報知する報知手段を備える人体局部洗浄装置。
（２）報知手段は、使用者が便座に着座したタイミングで作動する上記（１）に記載の人体局部洗浄装置。
（３）報知手段が、便座スイッチの作動中のみ報知する上記（２）に記載の人体局部洗浄装置。
（４）積算電力量が目標値に達した場合に、使用者に報知するとともに温水ヒータへの通電を停止する停止手段を有する上記（１）〜（３）のいずれかに記載の人体局部洗浄装置。
【０００８】
【発明の実施の形態】
本発明の人体局部洗浄装置における消費電力の目標値を設定する設定手段には、例えば、予め制御回路に記憶させた温水ヒータと便座ヒータの平均的な月当たりの積算電力量の初期設定値を、人体局部洗浄装置の操作パネルに設けた設定値表示部に表示して、この初期設定値を使用者が装置の操作パネルに設けた設定スイッチで数値を増減調整して、使用者の消費電力の目標値を設定する。
【０００９】
積算電力量が使用者が設定した目標値に達した場合に報知する報知手段としては、操作パネルに設けた目標値到達表示部のランプの点灯もしくは点滅による表示などで使用者に報知する。
【００１０】
なお、報知手段は、使用者により効果的に報知するため、暖房便座に設けた着座スイッチが作動、すなわち使用者が人体局部洗浄装置の使用時に便座に着座したタイミングで作動するようにするのが好ましく、さらに、報知に要する消費電力の低減も図れるように、報知手段としてのランプの点灯もしくは点滅は、上記着座スイッチの作動中のみとするのがより好ましい。
【００１１】
また、装置の制御装置にヒータ停止手段を設けて、積算電力量が目標値に達した場合、すなわち使用者が設定した積算電力量の目標値と積算電力量の測定手段による測定値が一致した際には、使用者への報知とともに、温水ヒータへの通電を停止するようにすれば、使用者が着座した場合に便座の冷たさを感じることなく装置の消費電力をより低減できる。
【００１２】
以下、本発明による人体局部洗浄装置の実施の形態について、図１乃至図３を参照して具体的に説明する。
図１は人体局部洗浄装置の全体斜視図、図２は図１に示した人体局部洗浄装置の操作パネルの平面図、図３は図１に示した人体局部洗浄装置の機能ブロック図である。
図１において、人体局部洗浄装置本体２は、暖房便座１及び便蓋３を回動自在に備え、便器６上に設置する。人体局部を洗浄する洗浄水は、水道管から分岐した給水管９から洗浄水タンク（図示省略）に給水して貯水し、電熱ヒータ（図示省略）により設定温度まで加熱して温水とし、洗浄ノズル５から人体局部に向けて噴射する。
【００１３】
人体局部洗浄装置２に内蔵した制御装置２０（図３参照）は、商用電源から漏電ブレーカ７と電源コード８を介して受電し、後述する操作パネル４の操作ボタンスイッチの入力に従って電熱ヒータに給電して洗浄水タンク内の洗浄水を設定温度に加熱し、洗浄ノズル５の伸縮操作と洗浄水の噴射を制御する。
【００１４】
本発明の人体局部洗浄装置に用いる暖房便座１は、便座を使用者が予め設定した温度に加熱するものであれば、特に限定されるものではなく、より具体的には便座に便座ヒータを内蔵させたものを用いることができる。
【００１５】
図１に示す人体局部洗浄装置の操作パネル４を示す図２において、１４は局部洗浄を開始する洗浄スイッチ、１３は停止する停止スイッチである。洗浄水の温度、或いは暖房便座の温度を調節する調整つまみ１１，１２、使用者が消費電力の目標値を設定する目標値設定手段２５として設定スイッチ２５ａ、２５ｂ、設定値表示部２７が各々設けられる。更には積算消費電力が目標値に到達したことを報知する目標値到達表示部２６が設けられる。
【００１６】
次に、本発明による人体局部洗浄装置の電気制御ブロック図である図３を用いてその作用を説明すると、制御装置２０に設けたヒータ通電手段２１は使用者が設定した温水温度、便座温度となるよう温水ヒータ３０、便座ヒータ２９に通電を行う。
【００１７】
操作パネル４には積算消費電力の目標値を設定する設定スイッチ２５ａ、２５ｂが設けられており、使用者はこのスイッチを操作することで積算消費電力の目標値を設定する。なお、目標値の設定は予め制御装置に記憶させておき使用者が設定する煩わしさを軽減してもよい。
【００１８】
制御装置２０に設けた積算電力測定手段２２では、温水ヒータ３０、便座ヒータ２９に通電した時間より、積算電力を測定する。
【００１９】
報知手段２３は前述の目標値と積算電力測定手段２２の測定値が一致した際に、操作パネル４に設けた目標値到達表示部２６に表示を行う構成としている。より具体的には操作パネル４に設けたランプの点灯、もしくは点滅等で使用者に報知するのが好ましい。
【００２０】
なお、使用者に効果的に報知するため、暖房便座１に設けた着座スイッチ２８が作動、即ち使用者が人体局部洗浄装置を使用するタイミングで報知することとした。ランプの点灯は、着座スイッチの作動中のみ点灯もしくは点滅させる構成として、報知に要する消費電力の低減も図れるようにした。
【００２１】
さらに、制御装置２０にヒータ停止手段２４を設け、目標値と積算電力測定手段２２の測定値が一致した際に温水ヒータ３０への通電を停止し、装置の消費電力を低減できる構成とした。なお、実施の形態では、使用者が気付かずに着座した場合の便座の冷たさを感じさせないために、温水ヒータのみ通電を停止する構成とした。
【００２２】
【発明の効果】
以上説明したように、本発明の人体局部洗浄装置によれば、消費電力の目標値を設定する設定手段を設けて、積算電力量が目標値に達した場合に報知する報知手段を備えており、目標値に達した場合に報知するため報知に要する消費電力が低減でき、装置の積算電力の到達を使用者に安価な構成で報知でき、使用者に節電及び省エネを意識させることができる。
【図面の簡単な説明】
【図１】本発明の実施の形態に係る人体局部洗浄装置の斜視図である。
【図２】図１に示した人体局部洗浄装置の操作パネルの平面図である。
【図３】図１に示した人体局部洗浄装置の機能ブロック図である。
【符号の説明】
１  暖房便座                      ２  人体局部洗浄装置本体
３  便蓋                          ４  操作パネル
５  洗浄ノズル                    ６  便器
７  漏電ブレーカ                  ８  電源コード
１１  便座温度調整つまみ          １２  温水温度調整つまみ
１３  停止スイッチ                １４  洗浄スイッチ
２０  制御装置                    ２１  ヒータ通電手段
２２  積算電力測定手段            ２３  報知手段
２４  ヒータ停止手段              ２５  目標値設定手段
２５ａ，２５ｂ  目標値設定スイッチ
２６  目標値到達表示部            ２７  設定値表示部
２８  着座スイッチ                ２９  便座ヒータ
３０  温水ヒータ
【図１】
2004360282.tif 000003
【図２】
2004360282.tif 000004
【図３】
2004360282.tif 000005